(57)【要約】【課題】  本発明の目的は、インスタントめん等を収納する容器に取り付ける蓋材において、蓋材を容器口部の半分以上剥離させて開口を形成した際に、開封した蓋材が反発力より戻って開口を塞いでしまうことがない蓋材を提供することである。【解決手段】  アルミニウム箔を含まない積層構成からなり外周縁に摘み部が形成されるとともに摘み部と対向する外周縁に突出部が形成された蓋材であって、摘み部および突出部の外面に非粘着性ないしは低粘着性の自着性粘着剤層が形成された構成の蓋材である。【選択図】  図１
2005187013.tif 000002
【特許請求の範囲】
【請求項１】
アルミニウム箔を含まない積層構成からなり外周縁に摘み部が形成されるとともに前記摘み部と対向する外周縁に突出部が形成された蓋材であって、前記摘み部および前記突出部の外面に自着性粘着剤層が形成された構成からなることを特徴とする蓋材。
【請求項２】
前記蓋材が外蓋と内蓋が剥離可能に積層された構成からなり、内蓋には、摘み部の内側に隣接して外蓋剥離開始用切目が形成され、摘み部と対向する突出部側の周縁部に複数の湯切り用切目が形成され、外蓋剥離開始用切目と湯切り用切目間の領域に開口用切目が形成され、外蓋剥離開始用切目の内側であって湯切り用切目および開口用切目の外側の蓋材の外周縁に囲まれた領域に離型層が形成された構成からなることを特徴とする請求項１記載の蓋材。
【請求項３】
前記離型層が、湯切り用切目と開口用切目間において摘み部と蓋材の中心を結ぶ線と直交方向の所定巾を有する剥離強度が大きい第２離型層とされ、第２離型層が形成された領域以外の領域が第２離型層より剥離強度が小さい第１離型層とされた構成からなることを特徴とする請求項２記載の蓋材。
【請求項４】
前記第１離型層が網点面積率が７０〜１００％となるように、前記第２離型層が網点面積率が６０〜８５％となるように、それぞれ離型性樹脂により形成されていることを特徴とする請求項３記載の蓋材。
【請求項５】
前記自着性粘着剤層が、蓋材を構成するロール状積層体が作製された後に、ロール状積層体の幅方向の所定位置に流れに平行方向に所定幅を有する帯状に粘着剤組成物を塗布することにより形成されたものであることを特徴とする請求項１〜４のいずれかに記載の蓋材。
【発明の詳細な説明】
【技術分野】
【０００１】
本発明は、インスタント焼きそば等を収納する容器に取り付ける蓋材のように、蓋材を容器口部の半分程度剥離させて開封し、容器に熱湯を注入して内容物を蒸らし調理した後に湯切りを行う用途に使用する蓋材であって、蓋材を構成する積層体中にアルミニウム箔を含まないので包装した製品の検査に金属探知機を使用することが可能になり、製品中に金属の異物が混入するのを確実に防止できるとともに、蓋材を容器口部の半分程度剥離させて開封した際に、蓋材が反発力で戻って開口を塞いでしまうのを防止できるようにした蓋材に関する。
【背景技術】
【０００２】
従来、即席麺等の容器に用いる蓋体は、即席麺を湯戻しするために、一部開封して容器内に湯を注ぐ際に、蓋体が戻らないように保持するデッドホールド性が必要とされる。通常蓋体には積層構成中にアルミニウム箔が用いられ蓋体自体にデッドホールド性を持たせている。しかしながら、アルミニウム箔を積層構成中に有する蓋体は、蓋体を取り付けた製品の中に金属異物を混入したかどうかを検査する金属探知機を使用することができないという欠点がある。そこで、上記の欠点を解消したものとして、インスタントラーメン等のように、容器の中に熱湯を注いでインスタントラーメン等を蒸らし調理した後に使用する容器の蓋材において、蓋材を容器口部の半分程度剥離させて開封し、容器に熱湯を注入する際に、蓋材の反発力により戻って開口を塞いでしまうのを防止した蓋材としては、金属層を構成中に含まない構成であって、周縁に摘み突片を備えた形状からなり周状熱接着部により容器に接着させて使用される蓋材において、蓋材の外面の摘み突片近傍の周状熱接着部を外した位置に第１粘着剤塗工部が設けられるとともに、第１粘着剤塗工部より摘み突片から遠い周状熱接着部を外した位置に第２粘着剤塗工部が設けられ、第１粘着剤塗工部と第２粘着剤塗工部が自着性粘着剤組成物により形成されている構成のシート状蓋材（例えば、特許文献１参照）が知られている。
【特許文献１】特開２００３−１４６３６７号公報
【０００３】
しかしながら、上記構成のシート状蓋材の場合、蓋材の外面の摘み突片近傍の周状熱接着部を外した位置に第１粘着剤塗工部が設けられ、第１粘着剤塗工部より摘み突片から遠い周状熱接着部を外した位置に第２粘着剤塗工部が設けられている構成であって、第２粘着剤塗工部が周状熱接着部より内側に形成されているので、摘み突片を掴んで蓋材を容器から剥離させて第１粘着剤塗工部を第２粘着剤塗工部に重ね合わせて圧着して開封した蓋材部分を固定した際に、圧着して固定された蓋材部分により容器の中心部が被覆された状態となり、容器口部に大きい開口を形成することができないため、蓋材を剥離させて容器を開封し、インスタント焼きそば等と一緒に容器内に収納されているソース、具等を包装した小袋を取り出すのが困難であるという欠点を有している。また、蓋材の積層構成が、上記蓋材のように外面が紙層からなる１層構成の場合は製造可能であるが、蓋材が剥離可能に積層された外蓋と内蓋の２層構成からなり外蓋の外面がプラスチックフィルムからなる構成の場合は、蓋材の表面の所定位置に見当を合わせて第１粘着剤塗工部及び第２粘着剤塗工部を形成するのが難しく効率的に大量生産することが困難であるという欠点を有している。  
【発明の開示】
【発明が解決しようとする課題】
【０００４】
本発明の目的は、インスタント焼きそば等を収納する容器に取り付ける蓋材のように、蓋材を容器口部の半分以上剥離させて大きい開口を形成することができるとともに、開封した蓋材が反発力により戻って開口を塞いでしまうことがないので、容器内に収納されているソース、具等を包装した小袋を取り出して容器内へ熱湯を注入するのが容易であり、インスタント焼きそば等の内容物を蒸らし調理した後に簡単に湯切りすることができるとともに、蓋材を構成する積層体中にアルミニウム箔を含まないので包装した製品の検査に金属探知機を使用することが可能になり、製品中に金属の異物が混入するのを確実に防止できる蓋材を提供することである。
【課題を解決するための手段】
【０００５】
アルミニウム箔を含まない積層構成からなり外周縁に摘み部が形成されるとともに前記摘み部と対向する外周縁に突出部が形成された蓋材であって、前記摘み部および前記突出部の外面に自着性粘着剤層が形成された構成の蓋材である。
【０００６】
前記蓋材が外蓋と内蓋が剥離可能に積層された構成からなり、内蓋には、摘み部の内側に隣接して外蓋剥離開始用切目が形成され、摘み部と対向する突出部側の周縁部に複数の湯切り用切目が形成され、外蓋剥離開始用切目と湯切り用切目間の領域に開口用切目が形成され、外蓋剥離開始用切目の内側であって湯切り用切目および開口用切目の外側の蓋材の外周縁に囲まれた領域に離型層が形成された構成である。
【０００７】
前記離型層が、湯切り用切目と開口用切目間において摘み部と蓋材の中心を結ぶ線と直交方向の所定巾を有する剥離強度が大きい第２離型層とされ、第２離型層が形成された領域以外の領域が第２離型層より剥離強度が小さい第１離型層とされた構成である。
【０００８】
前記第１離型層が網点面積率が７０〜１００％となるように、前記第２離型層が網点面積率が６０〜８５％となるように、それぞれ離型性樹脂により形成された構成である。
【０００９】
前記自着性粘着剤層が、蓋材を構成するロール状積層体が作製された後に、ロール状積層体の幅方向の所定位置に流れに平行方向に所定幅を有する帯状に粘着剤組成物を塗布することにより形成さたものである構成である。
【発明の効果】
【００１０】
本発明の蓋材とすることにより、蓋材を構成する積層体中にアルミニウム箔を含まないので包装した製品の検査に金属探知機を使用することが可能になり、製品中に金属の異物が混入するのを確実に防止できるとともに、熱接着して取り付けられた蓋材を摘み部を掴んで容器口部の半分程度剥離させて開口を形成し、摘み部の外面に形成されている自着性粘着剤層を突出部の外面に形成されている自着性粘着剤層に圧着させることにより、蓋材の反発力により蓋材が戻って開口を塞いでしまわないように保持することができる。
【００１１】
請求項２に係る発明では、インスタント焼きそば等を収納した容器に熱接着して取り付け、摘み部を掴んで外蓋を容器口部の半分程度剥離させて開口を形成し、摘み部の外面に形成されている自着性粘着剤層を突出部の外面に形成されている自着性粘着剤層に接着させることにより、外蓋の反発力により蓋材が戻って開口を塞いでしまわないように保持できるので、開口から容器内に収納されているソース、具等を包装した小袋を取り出して容器内へ熱湯を注入するのが容易となる。また、内容物を蒸らし調理した後に外蓋を完全に剥離させることにより簡単に湯切りすることができる。
【００１２】
請求項３、４に係る発明では、摘み部を掴んで外蓋を第１離型層の領域にて容器口部の半分程度まで剥離させ第２離型層の領域に達した時点で剥離が重くなるので、蓋材の剥離を半開きの状態で止めることができる。
【００１３】
請求項５に係る発明では、蓋材を構成するロール状積層体を作製した後に、積層体の外面に流れ方向に帯状に粘着剤組成物を塗布して自着性粘着剤層を形成するので、自着性粘着剤層を形成する際にロール状積層体の流れ方向の見当を合わせる必要がなくなり蓋材の製造が容易となる。
【発明を実施するための最良の形態】
【００１４】
以下、図面を引用して本発明の実施の形態を説明する。
図１は本発明の実施形態を示す平面図、図２は本発明の実施形態を示す底面図、図３は本発明の実施形態の蓋材の外蓋の内面に形成された離型層を示す平面図、図４は図１のＩ−Ｉ線拡大断面図、図５は実施形態の蓋材を容器の口部に接着した状態から摘み部を掴んで外蓋を半分だけ剥離させて内蓋に開口を形成し摘み部と突出部を合わせて自着性粘着剤層にて接着した状態の断面図、図６は実施形態の蓋材を作製するためのロール状積層体に自着性粘着剤層を形成する領域を示す平面図であって、２は摘み部、３は突出部、４は外蓋剥離開始用切目、５は開口用切目、６は湯切り用切目、７，８は自着性粘着剤層、９は第１離型層、10は第２離型層、11は容器、12は開口、13はロール状積層体、14は打抜線、15は帯状自着性粘着剤層、20は外蓋、30は内蓋をそれぞれ表す。
【００１５】
本発明の蓋材の実施形態は、平面図が図１に、底面図が図２に、外蓋の内面に形成された離型層の形状が図３に、積層構成が図４にそれぞれ示されているとおりである。実施形態の蓋材は、外蓋20と内蓋30が剥離可能に積層された積層構成中にアルミニウム箔を含まない構成であり、実施形態の蓋材の形状は、図１に示すように、円形状であって周縁に外方に突出する摘み部２が形成されるとともに摘み部２と対向する周縁に突出部３が形成された形状である。蓋材の摘み部２の外面に自着性粘着剤層７が形成されるとともに突出部３の外面に自着性粘着剤層８が形成されている。なお、本発明でいう自着性粘着剤層とは、室温付近では非粘着性ないしは低粘着性（タックフリー）であり、離型処理がされていない基材を使用しても良好な離型性が得られ、且つ自着性粘着剤層面同志を圧着することにより優れた接着性を示す粘着剤組成物からなる粘着剤層である。
【００１６】
実施形態の底面図は、図２に示すように、内蓋30には、摘み部２の内側に外蓋剥離開始用切目４が形成され、摘み部２と反対側の周縁の突出部３の近傍に複数の湯切り用切目６が形成され、湯切り用切目６と外蓋剥離開始用切目４の間の領域に、半円形状の開口用切目５が円弧部が摘み部２側に位置するように形成されている。
【００１７】
第１実施形態において、外蓋20の内面に形成されている離型層９，10の形状は、図３に示すように、外蓋剥離開始用切目３の内側であって開口用切目５および湯切り用切目６の外側と蓋材の周縁に囲まれた領域の全面に形成されており、湯切り用切目６と開口用切目５間において摘み部２と蓋材の中心を結ぶ線と直交方向に所定巾を有する領域が剥離強度の大きい第２離型層10とされ、第２離型層10が形成された領域以外の領域には第２離型層10より剥離強度の小さい第１離型層９が形成されている構成である。第１離型層９が形成されている領域では外蓋20と内蓋30は弱い力で剥離することができるが、第２離型層10が形成されている領域では外蓋20と内蓋30は剥離され難く剥離するのに強い力を要すものである。
【００１８】
実施形態の積層構成は、図４に示すとおりであり、外蓋20と内蓋30が、外蓋20の内面に形成された第１離型層９と第２離型層10を介して剥離可能に積層されており、外蓋剥離開始用切目４と開口用切目５と湯切り用切目６がそれぞれ内蓋20を貫通するように形成されており、摘み部２における外蓋20の外面に自着性粘着剤層７が形成され、突出部３における外蓋20の外面に自着性粘着剤層８が形成されている構成である。
【００１９】
第１実施形態の蓋材を、インスタント焼きそば等と個包装されたソース等を収納した容器11の口部に熱接着により取り付けて包装した後、蓋材の摘み部２を掴んで外蓋20を外蓋剥離開始用切目３の箇所から、外蓋20の内面に形成された第１離型層９と内蓋30間で剥離させて半開き状態に開封して、開封した外蓋20の摘み部を蓋材の突出部３に重ねて摘み部２の外面の自着性粘着剤層７と突出部３の外面の自着性粘着剤層８を接着させた状態の断面図は、図５に示すとおりである。外蓋20を外蓋剥離開始用切目３の箇所から第１離型層９と内蓋30間で剥離してゆき第２離型層10に達すると外蓋20が第２離型層10と内蓋30間で剥離し難くなるので外蓋20と内蓋30の剥離が止まり外蓋20を内蓋30から完全に剥離されてしまうことなく半開き状態とすることができるものである。外蓋20を半開きした図５に示す状態で、容器11の口部に接着されて残った内蓋30に大きい開口12が形成される。
【００２０】
図５に示す状態にて、内蓋30に形成された開口12から、容器11に収納されている個別包装されたソース等を取り出し、容器内に熱湯を注ぎ、摘み部２と突出部３の粘着剤７，８にて接着された箇所を剥離し、半開き状態の外蓋20を閉じて開口12を被覆した状態で一定時間放置してインスタント焼きそば等を蒸し調理できる。蒸し調理が終わった後に、外蓋20を容器口部から完全に剥離させて湯切り用切目６の箇所に湯切り孔を形成して湯切りを行うことができる。湯切りが完了した後、内蓋30の突出部３の箇所を掴んで、容器口部に接着されて残っている内蓋30を完全に剥離させて除去することができる。
【００２１】
本発明の実施形態においては、外蓋と内蓋が剥離可能に積層され、内蓋に外蓋剥離開始用切目と湯切り用切目と開口用切目が形成された構成のインスタント焼きそば等に使用される蓋材について説明したが、蓋材の構成は特に限定されるものではなく、外蓋と内蓋に分離できない１枚構成のカップラーメン等に使用する蓋材としてもよい。また、内蓋に形成する開口用切目の形状についても半円形状に限定されるものではなく、容器内に収納されている個包装されたソース等を簡単に取り出せる大きさの開口を形成できればよく形状は任意である。
【００２２】
実施形態の蓋材の外面に自着性粘着剤層７，８を形成する方法としては、図６に示すように、蓋材の摘み部と突出部がを結ぶ線が蓋材を構成する連続した原反の流れに直交する方向に面付けした状態の蓋材用のロール状積層体13を作製した後に、ロール状積層体13の外面の流れに直交方向の打抜線14に対応した所定位置に所定の幅からなる帯状自着性粘着剤層15を形成した後に、ロール状積層体13を打抜線14に沿って打ち抜く方法により製造される。ロール状積層体13の流れに直交方向の所定位置に連続した帯状自着性粘着剤層15を形成する方法にて製造することにより、ロール状積層体13の流れ方向の塗布位置をロール状積層体13に形成された絵柄に見当を合わせる必要がないので、蓋材の外面の所定位置に自着性粘着剤層を形成するのが容易になる。したがって、表面にプラスチックフィルム層が積層された構成の蓋材の製造が可能となるものである。
【００２３】
本発明の実施形態における自着性粘着剤層としては、例えば特開平９−２６３７４９号公報に記載されているような、ポリカーボネートジオールを必須成分としたジオール成分と炭素数が２〜２０の脂肪族または脂環族の炭化水素基を分子骨格とするジカルボン酸を必須としたジカルボン酸成分とから合成される重量平均分子量１万以上のポリエステルを含む粘着剤組成物、ないしは特開２００１−１１５１２８号公報に記載されているような、ポリカーボネート構造を含む重量平均分子量２万以上のポリエステル系重合体とポリビニルエーテル系重合体とを主成分とした粘着剤組成物を使用して形成されるものである。上記の粘着剤組成物を使用して形成される粘着剤層は、室温付近では基本的に高弾性で非粘着ないし低粘着（タックフリー）でありながら良好な接着性を発揮するものであり、シリコーン処理を施していない剥離ライナーを使用しても良好な剥離性が得られるものである。
【００２４】
第１離型層９及び第２離型層10を形成する離型性樹脂としては、硝化綿、ポリアミド樹脂、ポリエステル樹脂、アクリル樹脂、ブチラール樹脂等の単体ないしは混合物が使用できる。必要により少量のシリコーン等を添加してもよい。離型層は上記の樹脂からなるインキをベタ印刷版ないしは網点印刷版を使用して紙面にグラビア印刷等により印刷して形成される。第１離型層は網点面積率が７０〜１００％の網点印刷版を使用して成形され、第２離型層は網点面積率が６０〜８５％の網点印刷版を使用して成形される。網点状に形成される離型性樹脂の面積が小さくなると離型性が悪くなり、外蓋と内蓋を剥離させるのにより強い力が必要になり、反対に、網点状に形成される離型性樹脂の面積が大きくなると離型性が良くなり、外蓋と内蓋を弱い力で剥離させることができる。第１離型層及び第２離型層を形成するために使用する樹脂の種類及び印刷版の網点面積率を変えることにより、第１離型層及び第２離型層が形成された部分における外蓋と内蓋を剥離させる強度を任意に変えることができる。
【００２５】
外蓋20の積層構成としては、紙層単体、又はプラスチックフィルムと紙の積層体が使用できる。外蓋20に使用する紙としては、坪量が５０〜１５０ｇのコート紙等を使用するのが好ましく、蓋材の剛性が得られるとともに外蓋と内蓋を積層した後に蓋材の内面からハーフカットにより、外蓋剥離開始用切目、開口用切目、湯切り用切目を内蓋を貫通し紙層に達するように形成するのが容易となる。内蓋30の積層構成としては、ポリエチレン層とプラスチックフィルムと熱接着性樹脂層からなる積層体が使用できる。プラスチックフィルムとしては、２軸延伸ポリエチレンテレフタレート、２軸延伸ポリプロピレン、２軸延伸ナイロン等が使用できる。熱接着性樹脂層としては、熱溶融して押出しラミネーションすることのできるエチレン−酢酸ビニル共重合体を主成分とする樹脂が使用できる。熱接着性樹脂層はプラスチックフィルムにアンカーコートを行って直接押出ラミネーションしてもよいし、ポリエチレン層を介して積層してもよい。
【００２６】
蓋材の積層構成としては、例えば、２軸延伸ポリエチレンテレフタレート（ＰＥＴ）／ドライラミネーション（ＤＬ）／印刷層／片アート紙／離型層／ポリエチレン（ＰＥ）／ＰＥＴ／ＰＥ／熱接着性樹脂層、ＯＰＰ／ＤＬ／印刷層／片アート紙／離型層／ＰＥ／ＰＥＴ／ＰＥ／熱接着性樹脂層、印刷層／片アート紙／離型層／ＰＥ／ＰＥＴ／ＰＥ／熱接着性樹脂層、印刷層／片アート紙／離型層／ＰＥ／ＰＥＴ／ＰＥ／熱接着性樹脂層等である。蓋材の積層構成としては、外蓋と内蓋が積層された後に内蓋の内面側からのハーフカットにより内蓋を貫通する外蓋剥離開始用切目、湯切り用切目、開口用切目を形成するので、外蓋の内面が紙層である構成とすることが必要である。
【図面の簡単な説明】
【００２７】
【図１】本発明の実施形態を示す平面図。
【図２】本発明の実施形態を示す底面図。
【図３】本発明の実施形態の蓋材の外蓋の内面に形成された離型層を示す平面図。
【図４】図１のＩ−Ｉ線拡大断面図。
【図５】実施形態の蓋材を容器の口部に接着した状態から摘み部を掴んで外蓋を半分だけ剥離させて内蓋に開口を形成し摘み部と突出部を合わせて自着性粘着剤層にて接着した状態の断面図。
【図６】実施形態を蓋材を作製するためのロール状積層体に自着性粘着剤層を形成する領域を示す平面図。
【符号の説明】
【００２８】
２  摘み部
３  突出部
４  外蓋剥離開始用切目
５  開口用切目
６  湯切り用切目
７，８  自着性粘着剤層
９  第１離型層
10  第２離型層
11  容器
12  開口
13  ロール状積層体
14  打抜線
15  帯状自着性粘着剤層
20  外蓋
30  内蓋
【図１】
2005187013.tif 000003
【図２】
2005187013.tif 000004
【図３】
2005187013.tif 000005
【図４】
2005187013.tif 000006
【図５】
2005187013.tif 000007
【図６】
2005187013.tif 000008